【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
粘着性材料を連続的に袋詰めするためのシステムであり、システムは、
材料を受け入れるように構成された供給部であり、任意に熱制御される、供給部と、
前記供給部から材料を受け入れ、材料を混合、溶融、及び／又は配合するように構成された混合部であり２５°以下のテーパ角を有する除去可能な挿入部材を有するダイを有する、混合部と、
前記混合部から材料を受け入れ、材料をペレット化するように構成された、ペレット化部であり、
−９０°未満のブレード角と、ブレード角より小さいか、又はそれより２０％小さいブレード切削角度と、０°から５５°のブレード横断角度とを有する、カッターハブと、
−移送流体ボックスであり、前記移送流体ボックスへの及び前記移送流体ボックスを通る移送流体の速度を低減する入口及び出口を有し、前記入口は、ペレット化ダイの切断面に直接にわたって移送流体の流れを案内し、前記出口は開口領域を提供することによって前記移送流体ボックスを出たペレットの妨害を低減する、移送流体ボックスと
を有する、ペレット化部と、
前記移送流体ボックスの下流にある非線形の移送配管のシステムであり、長半径角度を有する、非線形の移送配管のシステムと、
前記ペレット化部の下流にある凝塊物捕集部であり、角度のある凝塊物除去網を有し、凝塊物除去網の傾斜角が、少なくとも０度であり、前記非線形の移送配管は、前記ペレット化部から凝塊物捕集部に材料を移送することができるように構成された、凝塊物捕集部と、
前記凝塊物捕集部の下流にある非流動化セクションであり、材料からの移送のろ過を防ぐのに部分的に閉塞するペレット供給シュートを有し、いかなる妨害じゃま板も有しない、非流動化セクションと、
前記非流動化セクションから材料を受け入れ、ペレット化された材料を乾燥するように構成された乾燥部であり、
−ロータ下部のロータブレードより少なくとも１０％狭いロータ上部のロータブレードを有するロータと、
−少なくとも最下部のスクリーンが空である、前記ロータ周辺の少なくとも２つの周辺スクリーンと
を有する乾燥機を有する、乾燥部と、
前記乾燥部の下流にあるペレット分岐バルブであり、
−前記乾燥部から、流入するペレットの流れを受け入れるように構成された入口と、
−流出するペレットの流れを分配するようにそれぞれ構成された少なくとも第一及び第二の出口と
を有する、ペレット分岐バルブと、
前記ペレット分岐バルブの少なくとも第一及び第二の出口とそれぞれ連通する、少なくとも第一及び第二の袋詰めアセンブリであり、前記ペレット分岐バルブから特定量のペレットを交互に受け入れ、ペレットの連続的な袋詰めを可能にするように構成された、少なくとも第一及び第二の袋詰めアセンブリと、
前記供給部、前記混合部、前記ペレット化部、前記移送配管、前記凝塊物捕集部、前記非流動化セクション、前記乾燥部、前記ペレット分岐バルブ、及び／又は前記袋詰めアセンブリの構成要素の少なくとも表面の一部に適用して、摩損、浸食、腐食、摩耗、好ましくない接着、及び付着を低減する表面処理であって、処理によって形成した表面が３次元テクスチャ加工される、少なくとも２つの層を含み、前記少なくとも２つの層は少なくとも１つの耐摩耗性材料の層から形成することができ、これらの層のうち少なくとも１つの耐摩耗性材料の層は、非付着性ポリマーで均一にオーバーコートされ、部分的にのみ表面の３次元テクスチャが充填される、表面処理と、
を有する、前記システム。
【請求項２】
前記除去可能な挿入部材の前記テーパ角が、１５°以下である、請求項１記載の粘着性材料を連続的に袋詰めするためのシステム。
【請求項３】
前記除去可能な挿入部材の前記テーパ角が、１０°以下である、請求項１記載の粘着性材料を連続的に袋詰めするためのシステム。
【請求項４】
前記除去可能な挿入部材と前記ダイ本体との間のギャップが、０．０１０インチ以下である、請求項１記載の粘着性材料を連続的に袋詰めするためのシステム。
【請求項５】
前記除去可能な挿入部材と前記ダイ本体との間の前記ギャップが、０．００５インチ以下である、請求項４記載の粘着性材料を連続的に袋詰めするためのシステム。
【請求項６】
前記除去可能な挿入部材の面が、前記ダイ本体の表面端部に延在する、請求項１記載の粘着性材料を連続的に袋詰めするためのシステム。
【請求項７】
前記除去可能な挿入部材の前記面が、０．０８０インチ以下である前記ダイ本体の表面端部に延在する、請求項６記載の粘着性材料を連続的に袋詰めするためのシステム。
【請求項８】
前記除去可能な挿入部材の前記面が、０．０６０インチ以下である前記ダイ本体の表面端部に延在する、請求項６記載の粘着性材料を連続的に袋詰めするためのシステム。
【請求項９】
前記除去可能な挿入部材の前記テーパ角が、１０°以下であり、除去可能な挿入部材と前記ダイ本体の間のギャップが、０．００５インチ以下であり、ダイ本体の表面端部に延在する除去可能な挿入部材の面が、０．０６０インチから０．０８０インチである、請求項１記載の粘着性材料を連続的に袋詰めするためのシステム。
【請求項１０】
前記カッターハブが、流線型であり、拡張した六角形状の断面を有する、請求項１記載の粘着性材料を連続的に袋詰めするためのシステム。
【請求項１１】
前記カッターハブの前記ブレード角が、２０°から６０°である、請求項１記載の粘着性材料を連続的に袋詰めするためのシステム。
【請求項１２】
前記カッターハブの前記ブレード切削角度が、前記ブレード角より小さいか又はそれより１５％以上小さい、請求項１記載の粘着性材料を連続的に袋詰めするためのシステム。
【請求項１３】
前記ブレード横断角度が２０°から５５°である、請求項１記載の粘着性材料を連続的に袋詰めするためのシステム。
【請求項１４】
前記カッターハブが、３０°から５０°のブレード角と、ブレード角より小さいか、又はそれより１５％以上小さいブレード切削角度と、２０°から５５°のブレード横断角度とを有する、請求項１記載の粘着性材料を連続的に袋詰めするためのシステム。
【請求項１５】
前記混合部の前記ダイが、連続的であるランドを有するダイ穴を有する、請求項１記載の粘着性材料を連続的に袋詰めするためのシステム。
【請求項１６】
前記移送流体ボックスの前記入口及び前記出口が、前記ペレット化ダイの前記面における移送流体の流速及び量の増加を促進して、その結果、移送流体の量の増加がペレット数に関連し、低減した濃度のペレットを移送流体ボックスからより効果的に除去し、ペレットの接着、付着、及び凝集の可能性を低減する、請求項１記載の粘着性材料を連続的に袋詰めするためのシステム。
【請求項１７】
前記角度のある凝塊物除去網の前記傾斜角が、少なくとも２０°である、請求項１記載の粘着性材料を連続的に袋詰めするためのシステム。
【請求項１８】
前記角度のある凝塊物除去網の前記傾斜角が、少なくとも４０°である、請求項１記載の粘着性材料を連続的に袋詰めするためのシステム。
【請求項１９】
前記角度のある凝塊物除去網の前記傾斜角が、少なくとも５０°である、請求項１記載の粘着性材料を連続的に袋詰めするためのシステム。
【請求項２０】
前記表面処理の前記少なくとも１つの耐摩耗性成分の層が、セラミックである、請求項１記載の粘着性材料を連続的に袋詰めするためのシステム。
【請求項２１】
前記表面処理の前記非付着性ポリマーが、シリコーン、フッ素重合体、又はこれらの組み合わせである、請求項１記載の粘着性材料を連続的に袋詰めするためのシステム。
【請求項２２】
前記ペレット分岐バルブの前記分岐フラップが、手動で、電気的に、油圧で、自動的に、及び／又は電気機械的に操作される、請求項１記載の粘着性材料を連続的に袋詰めするためのシステム。
【請求項２３】
前記ロータ上部の前記ロータブレードが、前記ロータ下部の前記ロータブレードより少なくとも２０％狭い、請求項１記載の粘着性材料を連続的に袋詰めするためのシステム。
【請求項２４】
前記ロータ上部の前記ロータブレードが、前記ロータ下部の前記ロータブレードより少なくとも３０％狭い、請求項１記載の粘着性材料を連続的に袋詰めするためのシステム。